(57)【要約】  本発明による装置は、生物の少なくとも１つの生物学的パラメータを分析するための少なくとも１つの分析機構を備えている。分析機構は、少なくとも１つのセンサの測定データを検出するために少なくとも１つのデータ入力部を有している。前記センサは、生物の少なくとも１つの生物学的パラメータを測定する。さらに分析機構は、分析結果を出力する少なくとも１つの出力機構とを有している。前記分析機構は制御ユニットとプログラムメモリとを有している。該プログラムメモリは複数のプログラムモジュールを記憶しており、該複数のプログラムモジュールは、外部から予め設定可能な制御命令に依存して、選択的に作動可能であり、または、部分的に作動可能であり、または、すべてを互いに組み合わせて作動可能であり、作動したプログラムモジュールが選択した分析結果のためのデータを提供する。
2013534837.tif 000002
【特許請求の範囲】
【請求項１】
生物の少なくとも１つの生物学的パラメータを分析するための少なくとも１つの分析機構を備え、該分析機構が、生物の少なくとも１つの生物学的パラメータを測定する少なくとも１つのセンサの測定データを検出するために少なくとも１つのデータ入力部と、分析結果を出力する少なくとも１つの出力機構とを有している装置において、
前記分析機構が制御ユニットとプログラムメモリとを有し、該プログラムメモリが複数のプログラムモジュールを記憶しており、該複数のプログラムモジュールが、外部から予め設定可能な制御命令に依存して、選択的に作動可能であり、または、部分的に作動可能であり、または、すべてを互いに組み合わせて作動可能であり、作動したプログラムモジュールが選択した分析結果のためのデータを提供することを特徴とする装置。
【請求項２】
前記センサと前記分析機構とがデータ区間を介して互いに接続されていることを特徴とする、請求項１に記載の装置。
【請求項３】
表示機構が設けられ、該表示機構と前記分析機構とがデータ区間を介して互いに接続されていることを特徴とする、請求項１または２に記載の装置。
【請求項４】
前記分析機構が、測定技術を用いずに検出したデータを入力するためのインターフェースを有していることを特徴とする、請求項１から３までのいずれか一つに記載の装置。
【請求項５】
前記インターフェースが手動でデータ入力を行うように構成されていることを特徴とする、請求項４に記載の装置。
【請求項６】
前記少なくとも１つのセンサが少なくとも１つの測定パラメータを次のグループから選択し、すなわち体重、インピーダンス、身長、血圧、ＥＫＧ、脈拍数、血液成分、パルスオキシメータ、体温、呼吸パラメータ、聴診パラメータおよび／またはエネルギー消費量から選択して、測定技術を用いて検出することを特徴とする、請求項１から５までのいずれか一つに記載の装置。
【請求項７】
分析ユニットがプリンタ（１）に接続されていることを特徴とする、請求項１から６までのいずれか一つに記載の装置。
【請求項８】
前記分析ユニットが前記プリンタ（１）のアダプタ（２）の領域にローカライズされていることを特徴とする、請求項７に記載の装置。
【請求項９】
前記アダプタ（２）が補助要素（３）を介して編成可能であることを特徴とする、請求項７または８に記載の装置。
【請求項１０】
前記分析機構が、センサおよび／または該センサ用の分析モジュールを作動させおよび作動停止させるように構成されていることを特徴とする、請求項１から９までのいずれか一つに記載の装置。
【発明の詳細な説明】
【技術分野】
【０００１】
本発明は、生物の少なくとも１つの生物学的パラメータを分析するための少なくとも１つの分析機構を備え、該分析機構が、生物の少なくとも１つの生物学的パラメータを測定する少なくとも１つのセンサの測定データを検出するために少なくとも１つのデータ入力部と、分析結果を出力する少なくとも１つの出力機構とを有している装置に関するものである。
【背景技術】
【０００２】
この種の装置は、特に、患者の健康状態または栄養状態に関する測定値を提供するために適している。このため、公知の装置は、その都度の使用例に適合した構成を有し、対応的な一般的な制御ソフトウェアを備えていることが多い。
【発明の概要】
【発明が解決しようとする課題】
【０００３】
本発明の課題は、冒頭で述べて種類の装置において、予め設定可能な問診に関して分析結果が提供されるように構成することである。
【課題を解決するための手段】
【０００４】
この課題は、本発明によれば、分析機構が制御ユニットとプログラムメモリとを有し、該プログラムメモリが複数のプログラムモジュールを記憶しており、該複数のプログラムモジュールが、外部から予め設定可能な制御命令に依存して、選択的に作動可能であり、または、部分的に作動可能であり、または、すべてを互いに組み合わせて作動可能であり、作動したプログラムモジュールが選択した分析結果のためのデータを提供することを特徴とするものである。
【０００５】
このように、本発明による装置は、その都度必要なハードウェアモジュールまたはソフトウェアモジュールが作動可能であり、且つ互いにリンク可能であるように、モジュール構造を有している。本発明による装置は、身体組成物を分析する(Body  Composition  Analyzer)ための機器の基本構造を有していてよい。他の可能な使用例はたとえば計量装置または長さ測定装置である。
【０００６】
モジュール状のシステム構成を達成するため、センサと分析機構とはデータ区間を介して互いに接続されている。
【０００７】
表示機構が設けられ、該表示機構と分析機構とがデータ区間を介して互いに接続されていることも、モジュール状システム構成に寄与する。
【０００８】
既存データを考慮するため、分析機構は、測定技術を用いずに検出したデータを入力するためのインターフェースを有している。
【０００９】
特に、インターフェースが手動でデータ入力を行うように構成されていることが考えられる。
【００１０】
包括的な編成を可能にするため、前記少なくとも１つのセンサは少なくとも１つの測定パラメータを次のグループから選択し、すなわち体重、インピーダンス、身長、血圧、ＥＫＧ、脈拍数、血液成分、パルスオキシメータ、体温、呼吸パラメータ、聴診パラメータおよび／またはエネルギー消費量から選択して、測定技術を用いて検出する。
【００１１】
分析結果をダイレクトに提供するため、分析ユニットはプリンタに接続されている。
【図面の簡単な説明】
【００１２】
図面には、本発明の実施形態が図示されている。
【図１】本発明による装置の基本構成を説明するためのブロック図である。
【図２】分析結果の表示例を示す図である。
【図３】第１の特定段階の詳細な分析結果の１表示例を示す図である。
【図４】第２の特定段階の詳細な分析結果の１表示例を示す図である。
【図５】分析の生データの１表示例を示す図である。
【図６】分析の生データの詳細図である。
【図７】アダプタとデータカードとを備えたデータ出力用プリンタの斜視図である。
【図８】図７のプリンタの他の斜視図である。
【発明を実施するための形態】
【００１３】
本発明による装置は、患者の次のようなパラメータを少なくとも１つ測定または検知するための少なくとも１つの測定器または少なくとも１つのセンサを有している。患者のパラメータとは体重、インピーダンス、身長、血圧、ＥＫＧ（心電図）、脈拍数、血液値、パルスオキシメータ、体温、呼吸パラメータ、聴診パラメータおよび／またはエネルギー消費量である。測定パラメータは、一般的には、医学検査の範囲内で収集される患者の任意の肉体的な量に関わるものである。測定パラメータは分析機構にダイレクトに供給され、或いは、たとえばラボインフォメーションシステムのような外部データ源を使用して分析機構に供給される。
【００１４】
上記測定パラメータに加えて、患者ＩＤを介して、または、検査前の問診によって得られる入力パラメータを使用してよい。これはたとえば患者の性別および／または年齢および／または人種である。
【００１５】
測定パラメータおよび／または入力パラメータをベースにして分析パラメータを求める。これはたとえば分析機構内で実行される数式を使用して行うことができる。数式は分析パラメータに対して割り当てた値を求める。数式は公知の技術水準から得ることができ、或いは、臨床研究を介して得ることができる。分析パラメータの判定は参照値を使用して行う。これらの参照値は科学関係の刊行物で公開されている規格範囲のものであり、或いは、一連の測定を介して求められた規格範囲のものである。１つの参照値に対するこのような表現の一例は位相角である。
【００１６】
分析モジュールを使用すると、種々の分析パラメータを互いに組み合わせることが可能である。分析モジュールは、実際に存在する問題に対する値を提供するために用いる。実際に存在する問題とは、たとえば患者のエネルギーステータスである。
【００１７】
装置の操作者によって行われる選択に依存して、その都度の検査状況にとって重要である分析モジュールの組み合わせを行う。
【００１８】
分析パラメータの計算とこれに対応した分析モジュールの提供とにより結果を導出するために入力パラメータと測定パラメータとを適宜リンクさせる点を、図１に示した。
【００１９】
使用する個々の器具の接続はたとえば無線ネットワークを介して行うことができ、特にＵＳＢ無線アダプタを介して行うことができる。異なる無線ネットワーク間の切換えが可能である。同様に、好ましくはイーサネットを介してネット化されている複数のワークステーションの接続が可能である。
【００２０】
図２は一人の患者例に対する器具のディスプレイ表示を示したものである。分析に関しては、選択したモジュールの概要が示されている。
【００２１】
図３は分析の一例の第１の特定段階をディスプレイ表示として示したものである。ビジュアル化することで、選定したパラメータが許容範囲内であるかどうかが簡単にわかる。
【００２２】
図４は分析のための第２の特定段階をビジュアル化して、グラフによる分析を拡大したものである。
【００２３】
図５は分析の生データモジュールの概要を示したものである。
【００２４】
図６は更なる説明のために分析の生データモジュールの１つの特定段階を示したものである。
【００２５】
本発明による装置では、その都度使用されるセンサまたは測定器は、データ区間を介して付設の分析ユニットに接続されている。データ区間は無線または有線で実現することができる。その都度必要な機能性を簡単に構成できるようにするため、分析ユニットも表示ユニットも機能的にモジュール状に構成されている。
【００２６】
分析機構は、たとえば適当にプログラミングされたコンピュータによって実現できる。特に、分析ユニットを、プリンタと接続可能な分析部分の領域に実装することも考えられる。これにより、分析したパラメータに関する即座のステートメントが可能である。
【００２７】
検出した値を表示する場合、特に、健康上の特定のリスクに関わるデータを強調して表示することが考えられる。これはたとえば拡大表示、カラー形態、或いは、時間変化表示である。
【００２８】
図７はプリンタ（１）を示している。プリンタは分析機構の一部として構成され、または、分析ユニットを提供し、または、分析機構に接続可能である。図示した実施形態によれば、プリンタ（１）は評価ユニットを提供するアダプタ（２）に接続されている。特に、アダプタ（２）が１個または複数個の測定器との無線通信を可能にすることも考えられる。
【００２９】
他の有利な実施形態によれば、アダプタ（２）はプリンタのスタンダードインターフェースに差し込まれている。これはたとえばパラレルインターフェース、シリアルインターフェース、またはＵＳＢ接続であってよい。
【００３０】
他の有利な実施形態によれば、アダプタ（２）はユニバーサルハードウェア構造を有し、補助要素（３）によって使用例に応じて構成される。特に、補助要素（３）が制御ソフトウェアおよび／または分析ソフトウェアを備えていることが考えられる。補助要素（３）はたとえばＳＤカードとして構成されていてよい。
【００３１】
プリンタ（１）の典型的な実施形態によれば、プリンタは紙ロールの使用を可能にするためにフラップ（４）を有している。さらに、操作要素（５）と表示要素（６，７）が設けられている。フラップ（４）のロックを解除するため、キー（８）を用いる。
【００３２】
図８はプリンタ（１）の他の斜視図である。これからわかるように、さらに、機器をオンオフするためのスイッチ（９）が設けられている。
【００３３】
分析機構の他の実施形態によれば、検出した測定パラメータに依存して機器の自動編成を行うことが考えられる。自動編成は完全自動で行うことができ、或いは、編成の提案として操作者が行うことができる。この場合、測定値の事前チェックの範囲内で、測定して検出される状況に依存してどのようなモジュールが実際の適用例に対し合目的であるかを調べる。
【００３４】
他の実施形態によれば、必要な分析時間を最短にするため、編成の際に選定したモジュールに依存して、実際に作動するモジュールにとって必要な測定値のみを特定し選択することが考えられる。
【００３５】
１実施形態によれば、１つのパラメータモジュールのパラメータであって必要な入力値および測定値のために存在する前記パラメータをプリンタ（１）はアダプタ（２）を使用して算出することができる。同様に、プリンタ（１）のプリントアウトで表示されるモジュールを、アダプタ（２）を介して、事前に機器内に編成したモジュール選択によって確定することが考えられる。
【００３６】
１つのプログラムモジュールは、典型的には、予め特定した数量のパラメータによって定義される。この場合パラメータとは測定値であり、或いは、患者の健康状態に関する情報を提供する計算値である。種々のパラメータを、選択により組み合わせて利用者特有のモジュールを自在に形成させることができる。
【図１】
2013534837.tif 000003
【図２】
2013534837.tif 000004
【図３】
2013534837.tif 000005
【図４】
2013534837.tif 000006
【図５】
2013534837.tif 000007
【図６】
2013534837.tif 000008
【図７】
2013534837.tif 000009
【図８】
2013534837.tif 000010
【国際調査報告】
2013534837.tif 000011
2013534837.tif 000012
2013534837.tif 000013
2013534837.tif 000014